(57)【要約】      （修正有）【課題】配送時は勿論、高所での作業時にでも、線条体の取り扱いが容易な鳥害防止器具の線条体保持構造を提供する。【解決手段】電柱間に架設された電線の上側に線条体Ｌを離隔した状態で保持するようにした鳥害防止器具Ｂの線条体保持構造である。鳥害防止器具Ｂは、電線に支持される枠本体１の上壁２から上方に突出させて形成した線条体係合部３を有し、隣り合って位置する枠本体１の線条体係合部３間に装着保持される線条体Ｌが一定の長さごとに巻回保形したコイル状に形成されていることを特徴としている。【選択図】図２
2020080802.tif 000002
【特許請求の範囲】
【請求項１】
電柱(Ｐ)間に架設された電線(Ｗ)の上側に線条体(Ｌ)を離隔した状態で保持するようにした鳥害防止器具(Ｂ)の線条体保持構造であって、
鳥害防止器具(Ｂ)は、電線(Ｗ)に支持され枠本体(１)の上壁(２)から線条体係合部(３)を上方に突出させて形成してあり、隣り合って位置する枠本体(１)の線条体係合部(３)間に装着保持される線条体(Ｌ)が一定の長さごとに巻回保形したコイル状に形成してあることを特徴とする鳥害防止器具の線条体保持構造。
【請求項２】
線条体(Ｌ)を対候性に優れたテグスで構成した請求項１に記載した鳥害防止器具の線条体保持構造。
【発明の詳細な説明】
【技術分野】
【０００１】
本発明は、電線に取り付けることにより、鳥の飛来や営巣を防ぐ鳥防止器具に関するものである。
【背景技術】
【０００２】
架空電線に鳥類が飛来すると、電気設備の事故や排泄物による公害の原因となるため、架空電線への鳥類の飛来を防止すべく、従来から、架空電線に各種鳥害防止器具が取り付けられている。
【０００３】
このような鳥害防止器具として、従来、電柱間に架設された電線の両端側に取り付けられる一対の固定支持具と、この固定支持具間で電線の上方に離隔した状態で架け渡される線条体と、この線条体及び電線に沿わせて所定の間隔を設けて取り付けられる一つまたは複数の自由支持具とで構成したものが提案されている(特許文献１)。
【０００４】
ところが、前述の鳥害防止器具では、固定支持具と自由支持具とがそれぞれ独立部品として構成されていることから、高所作業になる架空電線への設置作業時に高所作業車のバケットに乗り込んだ作業者が固定支持具と自由支持具とに係合した線条体を引き延ばすようにして自由支持具及び遊端側の固定支持具を電線に固定していかなければならず、作業性に欠けるきらいがあった。
【０００５】
そこで、線条体を留付保持した複数の支持具を離脱容易な状態に連結させて一組とし、両端に位置する支持具を電線に固定可能にするとともに、各支持具の連結部分に線条体の収容部を形成して、線条体の展開を容易にできるようにしたものも提案されている(特許文献２)。
【先行技術文献】
【特許文献】
【０００６】
【特許文献１】特許第４６６９２７７号公報
【特許文献２】特開２０１７−３８４８８号公報
【発明の概要】
【発明が解決しようとする課題】
【０００７】
この特許文献２に開示された、線条体を保持した複数の支持具を離脱容易な状態に連結させた場合のものでも、線条体自体はまとめただけであることから、配送時や、高所作業車のバケットに乗り込んで作業する場合に、ワイヤ収容部から飛び出して絡まることがあり、作業性に欠けるという問題点は依然解消しきれていなかった。
【０００８】
本発明は、このような点に鑑み提案されたもので、配送時は勿論、高所での作業時にでも取り扱いが容易で、電線への設置作業を簡略化できる鳥害防止器具の線条体保持構造を提供することにある。
【課題を解決するための手段】
【０００９】
上述の課題を解決するために、請求項１に記載の発明は、電柱間に架設された電線の上側に線条体を離隔した状態で保持するようにした鳥害防止器具の線条体保持構造であって、
鳥害防止器具は、電線に保持される枠本体とこの枠本体の上壁から上方に突出させ線条体係合部を有しており、隣り合って位置する枠本体の線条体係合部間に装着保持される線条体が一定の長さごとに巻回保形したコイル状に形成してあることを特徴としている。
【００１０】
請求項２に記載の発明は、請求項１に記載した構成に加えて、線条体を対候性に優れたテグスで構成したことを特徴としている。
【発明の効果】
【００１１】
本発明に係る鳥害防止器具は、電線に沿って線条体を配置する配置するに当たり、電線に保持されている隣り合った鳥害防止器具の本体枠間に張り渡す線条体を非展開時にはコイル状に保形した状態に位置させ、本体枠の電線に沿う移動で、コイル形状でひとかたまりとなっている線条体を解きほぐして展開する。このため、現場への搬送時や、現場での電線への装着時に、線条体が絡まって展開作業に支障をきたすなどして、作業性を低下させることがなくなる。これにより高所作業となる鳥害防止器具の電線へのセットが格段に楽になり、作業効率の向上を期待できる。
【図面の簡単な説明】
【００１２】
【図１】本発明に係る鳥害防止器具の使用状態を示す概略図である。
【図２】本発明に係る鳥害防止器具を連結した状態での正面図である。
【図３】本発明に係る鳥害防止器具の枠本体を示す全体斜視図である。
【図４】本発明に係る鳥害防止器具の蓋板を跳ね上げた姿勢での枠本体を示す全体斜視図である。
【発明を実施するための形態】
【００１３】
図１は、本発明に係る鳥害防止器具(Ｂ)を電柱(Ｐ)間に架設した電線(Ｗ)に装着した状態での概略図である。この鳥害防止器具は(Ｂ)は、電線(Ｗ)に取り付け固定される一対の固定支持具(Ｆ)(Ｆ)とこの固定支持具(Ｆ)(Ｆ)の間で電線(Ｗ)に対して揺動自在に配置される１または複数の自由支持具(Ｓ)とで構成されている。これら固定支持具(Ｆ)と自由支持具(Ｓ)とは電線(Ｗ)の上側に離隔して架け渡されている線条体(Ｌ)で接続されている。
【００１４】
固定支持具(Ｆ)及び自由支持具(Ｓ)は同一構造で形成してあり、略Ｃ型の枠体からなる枠本体(１)と、この枠本体(１)の上壁(２)から上方に起立突出させた線条体係合部(３)と、枠本体(１)内に電線(Ｗ)を挟持固定する電線固定機構(Ｃ)及び枠本体(１)の開口部を閉塞可能な蓋板(４)とで構成してある。
【００１５】
この電線固定機構(Ｃ)は、枠本体(１)の底壁(５)を貫通螺合しているねじ体(６)と、このねじ体(６)の先端部に装着され、枠本体(１)の内部を昇降移動する押し板(７)とで構成してあり、この押し板(７)は枠本体(１)の底壁側に降下している非保持姿勢と、ねじ体(５)の回転作動に伴って押し板(７)が上昇移動することで枠本体(１)に挿入した電線(Ｗ)を枠本体(１)の上壁内面に押し付ける保持姿勢とに切り替え可能になっている。一方押し板(７)の上昇量を加減して、電線(Ｗ)を枠本体(１)の上壁内面に強く当接させないようにすると、枠本体(１)が電線(Ｗ)に固定されることがなくなるので揺動可能な自由支持具(Ｓ)となる。
【００１６】
枠本体(１)の開口部を閉塞可能な蓋板(４)は、枠本体(１)の上壁(２)の開口端部にその上端部が揺動可能に枢支されており、蓋板(４)の蓋板部(４ａ)の側端面(４ｂ)での上部から枠空間の奥部方向に向かって、アーム部(９)が延出してあり、蓋板部(４ａ)を跳ね上げた際に、アーム部(９)が枠空間部分に位置できるように構成してある。
【００１７】
また、枠本体(１)での蓋板枢支部(10)の外周面に蓋板(４)の上端面と接当する係止突部(11)が突設してあり、蓋板(４)の上端面がこの係止突部(11)を乗り越えることで、枠本体(１)の開口部を開放する姿勢に蓋板(４)を維持できるようにしてある。
【００１８】
前記したように、押し板(７)は、枠本体(１)の底壁(５)を貫通螺合しているねじ体(６)の上端部分に相対回転自在な状態で組付けられるとともに、固定枠本体(１)の立ち上がり壁(12)の側端縁を抱き込むように形成してあり、ねじ体(６)の回転操作に伴ってねじ体(６)が枠本体(１)の底壁に対して出退作動することで、押し板(７)は回転することなく枠本体(１)内を上下方向に平行移動するようにしてある。また、この押し板(７)の開口側端部に蓋板(４)の側端縁部が挿通する蓋板挿通溝(13)が形成してある。蓋板(４)の側端縁部は、押し板(７)が下降側の一定範囲では蓋板(４)の蓋板挿通溝(13)と嵌り合わないように形成してありその状態では蓋板(４)は揺動可能であるが、一定高さよりも高くなると、蓋板挿通溝(13)と蓋板(４)の側端縁部とは嵌り合い、蓋板(４)の揺動、すなわち蓋板(４)の開閉が抑制されるように構成してある。
【００１９】
線条体(Ｌ)は、対候性に優れたテグスで構成してある。この線条体(Ｌ)は一定の長さ (例えば４ｍ)をコイル状に巻回保形してある。また、枠本体(１)の上壁(２)から上方に起立突出させた線条体係合部(３)は、それぞれ線条体(Ｌ)を通過させる線条体通過部(14)と線条体(Ｌ)を係着させる２個所の線条体係着部(15)(16)を有している。
【００２０】
上述の構成からなる鳥害防止器具(Ｂ)は図２に示すように枠本体(１)の底壁(５)の一側面から連出した連結片(17)で隣り合って配置された枠本体(１)同士を離脱可能な状態で接続するようにしてある。底壁(５)の一側面から連出されている連結片(17)は、二股フォーク状に形成してあり、この二股フォーク状連結片(17)を枠本体(１)の底壁上面と押し板(７)の下面との間にねじ体(６)を跨ぐ状態で挿入するように構成してあり、ねじ体(６)を押し板降下側に作動させることで固定枠本体(１)の底壁(５)と押し板(７)の下面とで挟持して、複数の固定枠(１)を一体化するようにしてある。そして、一体化した複数の枠本体(１)の上壁(２)から上方に起立突出させた線条体係合部(３)同士間にコイル状に保形形成した線条体(Ｌ)を位置させた状態にして施工現場まで搬送される。
【００２１】
二股フォーク状連結片(17)は、連出先端側となるねじ挿通溝(18)が形成されている部分が連結片の肉厚分だけ上方にずれて形成されている。このように形成することで、複数の鳥害防止器具(Ｂ)を連結した際に全体のレベルが揃うことになる。
【００２２】
この鳥害防止器具(Ｂ)を電柱(Ｐ)間に架設した電線(Ｗ)に取り付ける場合、複数の本体枠(１)が連結片(17)を介して一体に連結され、隣合う本体枠(１)の線条体係合部(３)に線条体(Ｌ)を架着した状態で施工現場に搬送されるが、固定支持具(Ｆ)となる枠本体(１)も自由支持具(Ｓ)となる枠本体(１)も同じ構造であることから、連結片(17)が押し板(７)と枠本体(１)の底壁(５)とで挟持されており、略Ｃ形に形成されている枠本体(１)の開口部に配置した蓋板(４)は自由に揺動できることになる。
【００２３】
従って、一連の鳥害防止器具(Ｂ)の蓋板(４)を開放させた状態で、鳥害防止器具(Ｂ)を絶縁ヤットコ等の活線工具を使用して一挙に電線(Ｗ)に装着することが出来る。この電線(Ｗ)への装着時に電線(Ｗ)が枠本体(１)の枠内に侵入する際にアーム部(９)に接触することで、蓋板(４)の枠本体(１)への係合が外れ、蓋板(４)で枠本体(１)の開口部が閉塞される。この状態で端部に位置する枠本体(１)のねじ体(６)を操作して、押し板(７)を上昇させる。すると、押し板(７)に形成した蓋板挿通溝(13)に蓋板(４)の側端縁部が嵌り込み、蓋板(４)の開閉揺動が抑制され、枠本体(１)の電線からの離脱が防止される。
【００２４】
そして、この端部に位置する枠本体(１)での押し板(７)の上昇動作で電線(Ｗ)を該枠本体(１)の上壁内面と押し板(７)とで挟持することになるから、該枠本体(１)は一定の姿勢に保持できることになるとともに、押し板(７)の上昇作動により、押し板(７)と枠本体(１)の底壁とで挟持されていた連結片(17)での拘束力が解除されることから、その連結片(17)で連結されていた次の枠本体(１)は電線(Ｗ)に固定された枠本体(１)から離れて電線に沿って移動できることになる。
【００２５】
この枠本体(１)の電線(Ｗ)に沿う移動で隣り合う線条体係合部(３)同士間にコイル状の形で配置されていた線条体(Ｌ)が、巻解して、電線(Ｗ)の上側に調節されることになる。
【００２６】
中間に位置する枠本体(１)では、電線(Ｗ)に係合させた後、押し板(７)を軽く作動させて枠本体(１)の上壁内面との間に電線(Ｗ)を挟持しない姿勢まで押し上げることで、連結片(17)の固定状態を解除することで中間に位置する枠本体(１)を電線(Ｗ)に対して揺動可能に保持させることになる。
【００２７】
一連の枠本体(１)を電線(Ｗ)に装着して展開させると、すべての枠本体(１)は線状体(Ｌ)で連結されていることから、該線条体(Ｌ)が電線(Ｗ)の上側に張設されることになる。この線条体(Ｌ)がピンと張られた位置で他端に位置する枠本体(１)のねじ体(６)を操作して、押し板(７)を上昇させ、押し板(７)と枠本体(１)の天井壁内面とで電線(Ｗ)を挟持して、他方の枠本体(１)を所定位置に固定することで、両端の枠本体(１)が固定で中間の枠本体(１)が電線(Ｗ)周りに揺動可能な状態に設置されることになる。これにより、線条体(Ｌ)に鳥類が止まろうとしても自由支持具(Ｓ)となっている中間に位置している枠本体(１)が電線(Ｗ)との接触点を支点として揺動することになって、鳥は線条体(Ｌ)に止まることができない。
【００２８】
このように、本発明に係る鳥害防止器具(Ｂ)にあっては、電線に固定するための電線固定機構(Ｃ)を利用して、固定支持具(Ｆ)と自由支持具(Ｓ)とを確りと一体化して搬送時の取り扱いを容易にすることが出来るうえ、固定支持具(Ｆ)の電線(Ｗ)への固定作業に伴って固定支持具(Ｆ)と自由支持具(Ｓ)とを分離可能にすることが出来るから、電線(Ｗ)への鳥害防止器具(Ｂ)の設置作業を容易にすることが出来る。
【産業上の利用可能性】
【００２９】
本発明に係る鳥害防止器具は、電柱間距離が比較的短い市街地において電柱間に架設した電線に装着する鳥害防止器具として適している。
【符号の説明】
【００３０】
Ｐ…電柱、Ｗ…電線、Ｌ…線条体、Ｂ…鳥害防止器具、１…枠本体、２…枠本体の上壁、３…線条体係合部。
【図１】
2020080802.tif 000003
【図２】
2020080802.tif 000004
【図３】
2020080802.tif 000005
【図４】
2020080802.tif 000006